(57)【特許請求の範囲】
【請求項１】
ペーパーの滑らかな引出しと卓上に置いての使用を可能とするペーパーロール保持具と、
ペーパーが切断されると同時に引き出しの掴み代となるペーパー端が露出する切断装置と、
上記ペーパー端を傾斜して露出させるための、上記保持具に固定された案内手段を備えたことを特徴とするロールペーパー保持切断装置。
【請求項２】
ペーパーを挿通セットする際、前記案内手段と前記切断装置との間が、上記切断装置の側方を軸として、左右のうちの片方が開閉可能であることを特徴とする請求項１のロールペーパー保持切断装置。
【請求項３】
前記案内手段の上に露出している前記ペーパー端が引き込まれ隠れることを防ぐため、ペーパーを上記案内手段に押しつける逆行防止手段を備えたことを特徴とする請求項１および請求項２に記載のロールペーパー保持切断装置。
【発明の詳細な説明】
【技術分野】
【０００１】
本発明は、ロールペーパーを引き出し切断する装置であって、主として卓上に置いて用いるロールペーパー保持切断装置に関する。
【背景技術】
【０００２】
従来ロールペーパーは、容器に収容され、又はロール中心部の穴を用いて回転可能に支持され、壁面に取り付けられて使用されることが多い。
ペーパーを引き出しての切断には、蓋の自由端(先端)に設けられたカッターに依ることが一般的である。しかし切断の際、蓋に取り付けられたカッターは軽く動くので、ペーパーが不必要に繰り出され、片手では切り難いとの難点がある。さらに、切断後のペーパー端部は蓋やカッターの内面に隠れており、次回の引き出しの掴み代が露出していなくて使い難いとの難点もある。
また、卓上での使用を目的とする小型の装置においては、引き出し、切断時とも、ペーパーを下方向へ引く動作は適切でない。
【０００３】
前記難点、「ペーパーの切断」と「次回の掴み代」を解決しようとする発明として、「特開２００１−３７６７４」や「特開２００８−３６２０１」を挙げることができる。これ等の発明は何れも、壁等に固定し、または卓上に置いての使用を前提としている。
前者の発明は、壁面に固定して使用するロールペーパーホルダーを卓上用とするため、支柱(支持脚)を設けたもので、小型化の考慮はされていない。ペーパーを切断する時には、下方向に引くようになっており、小型化を妨げる一因とも推認される。
また、機序から判断して、十分な掴み代が確保できるとも思えない。
【０００４】
後者の発明では、卓上型の実施例として、ロールペーパーを収容する箱型のホルダーが示されている。この発明においても、切断時には概ね下方向に引いており、卓上面までの距離が短く使い難さは否めない。
また、掴み代を確保するため、カッターである「紙切り部」がホルダーの前方へ、掴み代に相当する長さだけ突き出している。従って、カッターは使用者に対して最も手前にあり、危険な感じを与える懼れが危惧される。
【０００５】
本願発明は、後記の特許文献３の発明(未公開、出願人は本願発明者と同じ)の切断装置を採用し、卓上に載置しての使用ができるように改良したロールペーパー保持切断装置を提供するものである。以下に、特許文献３の概略を記述する。
【０００６】
図1、図２および図３は、特許文献３に基づく一つの設計例である。
図１は正面図(一部断面)であり、図２は側断面図、図３はペーパー切断時の様子を説明する断面図である。何れの図においても、ペーパー、ヘーパーロールは仮想線(２点鎖線)で示されている。図２、図３の上半分がペーパーロールを支持する保持具１１１、下半分がペーパーをカットする切断装置１２０である。
右側板１１４に固定されたペーパーロール支持軸１１２には、ペーパーロール１００(仮想線・網掛けで図示)の中央の穴が挿入され、ペーパーロール１００を支持している。１１３はペーパーロールの抜け防止の留め板で、ペーパーロール支持軸１１２の先端に固着されている。通常、右側板１１４を壁に固定して用いられる。
【０００７】
右側板１１４の下方位置には、A幅板１２２とB幅板１２３が固着されている。上記のA、B両幅板１２２、１２３の横長さ(幅)は、ペーパーロール１００の幅(通常114mm)より少し長くなっている。右側板１１４と反対の、上記のA、B両幅板１２２、１２３の端部には、左側板１２１が固着されている。
A幅板１２２の下方には転向軸１２９が、上方にはストッパー受け１３０が設けられている。切断板１２４は切断板ボス１２７、切断板軸１２６によって右側板１１４と左側板１２１の間で、軽く回動できるように取り付けられている。
切断板１２４の上端は、ストッパー１２８であり、ストッパー１２８の内側面には滑り止め材が貼付されている。滑り止め材は無くても良い。
切断板１２４の下端には鈍なカッター１２５が設けられている。
【０００８】
通常、図２のように、ペーパー１０１(仮想線で図示)は、ストッパー受け１３０の外側(図２での右側)を通り、転向軸１２９の内側(図２の左側)を通って垂れ下がり、ペーパー端１０２が露出している。
ペーパー端１０２を掴み、必要な長さのペーパーを引出した後に、ペーパーを手前、前方の概ね水平方向に引き、ペーパー１０１とカッター１２５とを絡ませ、切断板１２４を回動させる。更にやや上向きに引くとストッパー１２８がストッパー受け１３０に当接する。(図３参照)
この状態のまま、ペーパーを斜め横方向に引いて切断する。直後に、切断板１２４は重力によって回動し、カッター１２５が転向軸１２９に近接する元の位置に復帰する。同時にペーパー端１０２が下方へ垂れ下がり露出し、図２の状態に戻る。
【０００９】
ペーパーの引き出し抵抗が十分大きければ、ペーパー１０１をストッパー受け１３０の内側(図２の左側)を通るようにしても良い。この場合、当初のペーパーセットがやや容易になる。
本願発明において、特許文献３を応用している部分は、転向軸１２９、切断板１２４、カッター１２５、ストッパー１２８、ストッパー受け１３０等で構成される切断方法と切断後にペーパー端が露出する機能を担う切断装置である。
引き出し・切断についての前記難点に対処する幾つかの発明を下記に示す。本願発明は、特に特許文献３に関連している。
【先行技術文献】
【特許文献】
【００１０】
【特許文献１】特開２００１−３７６７４
【特許文献２】特開２００８−３６２０１
【特許文献３】特願２０１２−１５８３７４
【発明の概要】
【発明が解決しようとする課題】
【００１１】
以下において、ロールペーパーの円筒状に巻かれている部分をロールまたはペーパーロール、そこから巻き戻された部分を単にペーパー、ペーパーの端であって掴み代に該当する部分をペーパー端としている。
また、ロールを回動可能に支持・保持する機能部分を保持具とし、切断後、掴み代が確保されるように切断する機能部分を切断装置としている。
【００１２】
本発明は、ペーパーを引出し切断すると同時に、引出しの為の掴み代となるペーパー端が露出するロールペーパー保持切断装置であって、主に卓上に載置して用いることに特徴がある。卓上に載置するため、ペーパー端は垂れ下がるのではなく、ペーパー端部をガイドする案内手段の上に露出する。卓上での使用なので、ペーパーを下方向に引く方法は採用できない。さらに、ペーパー、ペーパーロールの初期のセットが容易である事、カッターは危険な感じを与えない事、コンパクトな設計が可能な事等を勘案したロールペーパー保持切断装置を提供する。
なお、壁面等に固定して用いる事も可能である。
【課題を解決するための手段】
【００１３】
本発明は、前記課題を解決するため、以下の解決手段を採っている。
即ち、請求項１に記載のように、
ペーパーの滑らかな引出しと卓上に置いての使用を可能とするペーパーロール保持具と、ペーパーが切断されると同時に引き出しの掴み代となるペーパー端が露出する切断装置と、上記ペーパー端を傾斜して露出させるための、上記保持具に固定された案内手段を備えたことを特徴とするロールペーパー保持切断装置。
【００１４】
請求項２に記載のように、
ペーパーを挿通セットする際、前記案内手段と前記切断装置との間が、上記切断装置の側方を軸として、左右のうちの片方が開閉可能であることを特徴とする請求項１のロールペーパー保持切断装置。
【００１５】
請求項３に記載のように、
前記案内手段の上に露出している前記ペーパー端が引き込まれ隠れることを防ぐため、ペーパーを上記案内手段に押しつける逆行防止手段を備えたことを特徴とする請求項１および請求項２に記載のロールペーパー保持切断装置。
【発明の効果】
【００１６】
本発明のロールペーパー保持切断装置は、小型であって卓上に置いて使用することが可能であることを一つの特長としている。簡単な構成、機構であって、ペーパーロール、ペーパーの初期セットが容易であり、ペーパーの引き出しが簡単である。必要な長さのペーパーを引き出し切断すると同時に、掴み代と成るペーパー端が案内手段の上に形成され露出する等の特長がある。
用法においては、折り畳まれて紙箱に収容されているティシュペーパーと競合するが、ロールペーパーの方が安価であり、任意の長さ(大きさ)に切って使用できるので無駄が無い事など効果は大きい。
【図面の簡単な説明】
【００１７】
図１〜３は特許文献３に絡む説明図、図４〜１５は第１実施例、図１６〜１９は第２実施例の説明図である。
後述のように、本願発明の各実施例では、案内手段は傾斜した板「斜め板」を採用している。この「図面の簡単な説明」のセクションにおいては、図の実感との違和感が無いように、案内手段(斜め板)と表記する。
【図１】特許文献３に基づく装置の正面図。
【図２】側断面図。通常状態。
【図３】側断面図(部分)。ペーパーを切断する説明図。
【図４】第１実施例の左側面図。
【図５】右側面図(部分)。蝶番１７の取り付け状態を示す。
【図６】平面図。ペーパー４１のセットを容易にする為の蓋２の形に特徴。
【図７】正面図。ペーパー端４２を掴み易くする為の切欠き９a、１０aを明示。
【図８】図６の矢視Ａ−Ａ断面図。ペーパーロール支持軸６、蓋２、案内手段(斜め板)１０、ストッパー受け１１、転向軸２４、幅板２３、切断板２５等の配置。
【図９】図８の矢視Ｂ−Ｂ断面図。右支持板８、右板２１、左支持板１３、左板２２等の配置。
【図１０】図９に対して、ペーパーロール４０、ペーパー４１を追加。切断装置２０は開放状態。
【図１１】図１０の矢視Ｃ−C図(一部断面図)。
【図１２】側断面図。ペーパー端４２を引き、ペーパーを引出している図。
【図１３】側断面図。ペーパー端４２を上に引き、切断寸前の図。
【図１４】側断面図。ペーパーを切断した直後の図。通常状態に復帰している。
【図１５】引き出されたペーパーの逆行を防ぐ逆行防止手段。
【図１６】第２実施例の左側面図(一部断面図)。保持具５０、切断装置６５、L型留め具６１、案内手段(斜め板)５７、蓋５３等の配置。
【図１７】側断面図。蓋５３を開放した状態。
【図１８】側断面図。ペーパー端７８を引き上げた切断直前の図。
【図１９】斜視図。案内手段(斜め板)５７、斜め板切り欠き５７a、切断板１２４等の配置。
【発明を実施するための形態】
【００１８】
以下の各実施例における案内手段は、傾斜した板「斜め板」を採用しているので、案内手段を単に斜め板と表記する。
各図の構成要素の符号は、他の図との対応を図るために、一部重複して付している。
第１実施例は図４〜図１５に示している。
図４の右側を前面としているので、図４は左側面図である。ペーパーロール４０(網掛け)、ペーパー４１、ペーパー端４２は仮想線(細い２点鎖線)で示している。
図５は右側面図(部分)であり、特に蝶番１７、蝶番留め釘１８による切断装置２０と保持具１との取り付けの様子を示している。
図６は平面図(上から見た図)である。蓋２の形状は長方形ではなく、回動可能に支持する部分の幅は、蓋２の最大幅、換言すれば右支持板８と左支持板１３との間隔の約半分である。これは、ペーパーロール４０から巻き戻されたペーパー４１を切断装置２０と保持具１との間への挿通セットを容易にする為である。
図７は正面図(前から見た図)である。中央下方に見える空間は斜め板１０の切欠き１０aおびその下方にある台板９の切欠き９aであり、ペーパー端４２(図７には示していない)を掴み易くするものである。
図８は側断面図である。関連するほとんどの要素の配置状態が明示されている。
【００１９】
保持具１について図４〜図８を用いて述べる。
台板９には、右支持板８及び左支持板１３が、ペーパーロール４０の幅(約１１４mm)より少し広い間隔(全幅)で、垂直に固定されている。右支持板８にはペーパーロール支持棒６が片持ち梁状に水平に固定されている。ペーパーロール支持棒６の他端には、ペーパーロール４０の抜け止めとして、留め板７が固着されている。
右支持板８の上方位置には蓋支持棒４が片持ち梁様に固着され、その他端には軸棒接合板５が固定されている。蓋２を回動可能に支持する蓋軸３は右支持板８と軸棒接合板５で支えられている。既述のように蓋２の支持部の幅は、ペーパー４１のセットを容易にするため、全幅の約半分である。
【００２０】
右支持板８と左支持板１３の間に、斜め板１０が固定されている。斜め板１０の表面の延長上方に近接して、ストッパー受け１１が、ストッパー受け軸１２によって回動可能に取り付けられている。ストッパー受け１１は、ストッパー２８を受け止めると同時に、ペーパー４１の流動方向を滑らかに変える機能も担っている。従って、回動可能なローラが良いが、ペーパーとの摩擦が少なければ回動できない軸でも良いし、斜め板１０の上縁を滑らかに仕上げて一体としても良い。
既述ではあるが、図７〜８に示されるように、斜め板１０には切欠き１０ａを、台板９には切欠き９aが設けられ、斜め板１０の上に露出するペーパー端４２を掴み易くしている。
【００２１】
図８、図９等に示すように、切断装置２０の骨格は右板２１、左板２２を幅板２３で連結固定して構成されている。
図５の右側面図に示すように、右支持板８と切断装置２０の右板２１には蝶番１７が、蝶番留め釘１８によって固定されている。従って、右支持板８に対して右板２１即ち切断装置２０は、ペーパー４１の挿通セットを容易にする目的で、開閉が可能となっている。(図１０〜１１参照)
【００２２】
図４、図６に示すように、左板２２には、軸ピン１６によってL型留め具１５が回動可能に取り付けられている。L型留め具１５は左支持板１３に設けられた留めピン１４に係留されると切断装置２０は保持具１と、即ち左右支持板１３、８と一体様になり閉ざされる。
【００２３】
図８に示される断面図(ペーパー、ペーパーロールは描かれていない)において、切断装置２０の幅板２３の延長下方には転向軸２４が右板２１、左板２２に固定されている。転向軸２４の表面は低摩擦が良く、右板２１、左板２２に回動可能に支持されるローラであっても良い。
【００２４】
図８などに示されるように、幅板２３の延長上方に、右板２１、左板２２に支持された切断板軸２７を設け、切断板ボス２６を介して切断板２５が滑らかな回動ができるように支持されている。
切断板２５の下方端にはカッター３０が設けられている。カッター３０は鋭利なものではなく、滑らかな鋸歯状の凹凸がある樹脂、木であっても良い。
切断板２５の上方端はストッパー２８であり、内面側に滑り止め２９が貼付されている。滑り止め２９、ストッパー２８がストッパー受け１１に当接すると、切断板２５はそれ以の回動ができない。また、ストッパー２８と滑り止め２９(ストッパー受け１１)の間のペーパー４１は、更なる引き出しが制限され容易に切断される。滑り止め２９は無くても良い。
【００２５】
図９は図８に示す矢視Ｂ−Ｂ断面図である。
保持具１と切断装置２０の合わせ面(線)が示されている。
ペーパーロール支持軸６、ストッパー受け１１、転向軸２４、幅板２３、切断板軸２７、滑り止め２８等が互いに平行であることも示されている。
右支持板８と右板２１、左支持板１３と左板２２は相対応して密着している事が示されている。
【００２６】
図１０は、図９に対してペーパーロール４０(網掛け、不透明)及びペーパー４１(一部)を描き加えたものである。また、切断装置２０は開いた状態を示している。保持具１と切断装置２０の間の空間４３にペーパー４１を通しセットする。
【００２７】
図１１は図１０の矢視C−C断面図(一部)であり、図８に対してヘーパーロール４０をセットし、切断装置２０を開きペーパー４１をセットした状態に描き直したものである。切断装置２０を閉じれば通常の状態になる。
【００２８】
図１２はヘーパー端４２を、ほぼ水平方向、矢印４４方向に引き出している図である。ペーパー４１とカッター３０は、まだ接触していない。
【００２９】
図１３は、ペーパー端４２を上方向、矢印４５の方向へ引きカッター３０とペーパー４１が接触し絡み合い、切断板２５が回動した状態である。ストッパー２８(滑り止め２９)がペーパー４１を挟んでストッパー受け１１に当接している。
ペーパー４１も切断板２５もそれ以上には動かない。この時、ペーパー端４２を斜め上横方向に引くとペーパー４１はカッター３０で切断される。
【００３０】
図１４に示すように、ペーパー４１が切断されると、切断板２５が重力等により回動し、カッター３０と転向軸２４が近接した元の状態に復帰する。同時にペーパー端４２が斜め板１０の上に露出する。復帰力は、重力に限らず、ばね等の弾性体を用いても良い。
【００３１】
斜め板１０に沿って露出しているペーパー端４２が、風などに依って逆行し、内部に隠れてしまう事がある。
図１５はペーパー端４２の逆行を防ぐ逆行防止手段を示している。
【００３２】
図１５(a)は図１１の、図１５(b)は図１４のそれぞれに、逆行防止手段を構成する弾性板４６を描き加えたものである。図１５(c)は弾性板４６近辺を拡大表示したものである。
上記の弾性板４６の一端は、幅板２３に接着されている固定端４８である。固定端４８の境界位置は、塑性的に折り曲げられている。従って、自然状態の弾性板４６の自由端(押圧部)４８は幅板２３から十分離れている。
なお、図１５(c)の仮想線Dは保持具１と切断装置２０との合わせ面である。
【００３３】
図１５(b)や(c)に示すように、切断手段２０が閉じられたとき、弾性板４６の自由端４８はペーパー４１を斜め板１０の表面に軽く押し付けることになる。
以上のような弾性板４６による押圧は、ペーパー４１の引き出しには支障ないが、ペーパー４１の逆行(引き込み)に対しては、自由端(押圧部)４８は自励的(正帰還的)に食い込む様な作用となり、逆行を防止する。
【００３４】
以上の逆行防止手段は、常に必要なものではなく、扇風機などの風がある場所での使用には有効である。
【００３５】
第２実施例について、図１６〜図１９を用いて述べる。
第２実施例も保持具５０と切断装置６５から成っている。
ペーパーロール７６の支持は軸支持型ではなく箱型である。本願発明での支持具の型はいずれでもよい。
支持具が箱型の場合、引き出し抵抗は第１実施例の軸支持型よりやや大きい。ペーパーロール７６は消耗に伴い軽くなるので引き出し抵抗は変化する。適宜、ペーパーロール７６の中心の穴に重錘を入れるなどの策を講じても良い。
【００３６】
図１６は左側面図(一部断面図)である。５４は、「へ」の字形に曲折した蓋５３を開閉自在に支持する蓋軸であり左側板５１、右側板５２に支持されている。蓋５３を閉状態に保つ留め具は必要であるが、L型留め具、磁石、面ファスナーなど一般的なもので良く、図示は省略している。
底板５５、左側板５１、右側板５２、前板５６、案内手段である斜め板５７は一体状に固定されている。従って、保持具５０は後面に蓋５３がある容器状となる。
【００３７】
切断装置６５は第１実施例の切断装置２０と同じである。
保持具５０の左側板５１にL型留め具６１が軸ピン６２で回動可能に取り付けられている。L型留め具６１は、切断装置６５の左板６７に設けられた留めピン６０に係留され、保持具５０と切断装置６５の閉状態が保たれる。第１実施例と比べ、留めピン６０と軸ピン６２の位置が逆であるが、格別な理由、差異は無い。
【００３８】
図１７はペーパーロール７６をも含めた側断面図である。
斜め板５７の下方端には、ペーパー端７８を掴み易くするための切欠き５７aが設けられている。第１実施例と同様に、斜め板５７の延長上方にストッパー受け５８が設けられている。
【００３９】
右板６６、左板６７(図１９参照)を幅板６８で連結固定し切断装置６５の骨格としている。
幅板６８の延長下方に、右板６６、左板６７に挟まれて、ペーパー７７が流れ出る方向を変える転向軸６９が設けられている。
幅板６８と転向軸６９を一体化し、幅板６８の下端を滑らかに仕上げて転向軸６９の機能を担わせても良い。また、転向軸６９はペーパー７７の引き出し抵抗を減らすために、回動自在な構造としても良い。このことは、第１実施例においても同様である。
【００４０】
幅板６８の上方位置において、左右板６７、６６の間に、切断板軸７１が取り付けられている。切断板７０は、切断板７０に固定された切断板ボス７２に切断板軸７１を通して、軽く回動できるように支持されている。
【００４１】
切断板７０の下端には、鈍なカッター７５が設けられている。手指が触れても安全なカッターが望ましい。(第１実施例参照)
【００４２】
切断板７０の上端は、内面側に滑り止め７４を貼付したストッパー７３である。滑り止め７４は無くても良いが、有れば、ペーパー７７の引出しをより確実に停止する。
【００４３】
右側板５２側には、第１実施例の図５に示したような蝶番(第２実施例としての図示省略)が取り付けられており、第１実施例の図１０、図１１と同様に、切断装置６５は開閉可能になっている。
【００４４】
蓋５３を開け、ペーパーロール７６を挿入の後、第１実施例ように切断装置６５を開き、ペーパー７７を挿通セットする。ヘーパー端７８が斜め板５７の上に十分出ているようにセットしてから、切断装置６５を閉じ、L型留め具６１で係留する。その後、蓋５３を閉じる。(図１７参照)
【００４５】
図１８について、使用方法を述べる。
先ず、ペーパー端７８を掴み、ほぼ水平に必要な長さを引き出す。その後、引く方向を矢印６３のように上向きにすると、ペーパー７７とカッター７５が絡み合い切断板７０が回動し傾斜する。ストッパー７３(滑り止め７４)は、ストッパー受け５８との間にペーパー７７を挟んで当接する。切断板７０等はこれ以上には回動しない。
上記状態を保ちながら、やや斜め横にペーパーを引くと、ペーパーは切断される。「やや斜め横に引く」の意味は、ペーパーの全幅を同時に切断するのではなく、ペーパーの右または左端から順々に切る様子を示す。定規様のもので紙を押し付けて引き切る場合や、「はさみ」での切り方と同様である。
切断後、切断板７０は重力等で回動し、転向軸６９とカッター７５が近接した元の位置に戻る。ペーパー端７８は斜め板５７の上に露出、更にそこから少しはみ出し状態になり掴み代となる。
【００４６】
図１９は前左上方向から見た斜視図である。蓋５３の形状を示すため、開放した状態で描いている。斜め板５７の中央にある斜め板の切欠き５７aは、ペーパー端７８を掴み易くするためである。
【００４７】
既述のように、これらの実施例における案内手段は「斜め板」とされているが、板に限定されるものではない。棒を縦又は横に並べたものや網目の板様のものでも良い。
また、転向軸についても、回動可能なローラであっても良いし、切断装置の幅板の下端を転向軸として機能させても良い。
【符号の説明】
【００４８】
符号１〜４８は第１実施例。
１    保持具
６    ペーパーロール支持棒
８    右支持板
９    台板
１０  斜め板(案内手段)
１１  ストッパー受け
１３  左支持板
２０  切断装置
２１  右板
２２  左板
２３  幅板
２４  転向軸
２５  切断板
２８  ストッパー
３０  カッター
４０  ペーパーロール
４１  ペーパー
４２  ペーパー端
４６  弾性板
D  保持具１と切断装置２０との合わせ面(図１５(c)参照)。
符号５０〜７８は第２実施例。
５０  保持具
５１  左側板
５２  右側板
５３  蓋
５５  底板
５６  前板
５７  斜め板(案内手段)
５８  ストッパー受け
６５  切断装置
６６  右板
６７  左板
６８  幅板
６９  転向軸
７０  切断板
７３  ストッパー
７５  カッター
７８  ペーパー端
符号１００〜１３０は特許文献３の設計例。
１１１  保持具
１１４  右側板
１２０  切断装置
１２１  左側板
１２４  切断板
１２５  カッター
１２８  ストッパー
１２９  転向軸
１３０  ストッパー受け
【要約】
【課題】  従来のロールペーパー保持切断装置では、切断後に掴み代と成るペーパー端が確保され露出される場合であっても、ペーパー端は垂れ下がっていた。
卓上での使用にとって、ペーパー端が「垂れ下がる」ことは、小型化、使い易さには適さない。更に、ペーパーを引き出して切断する動作方向が下方向でなく、水平又は上方向が適している。
【解決手段】  
本願発明は、ロールペーパーの滑らかな引き出しが可能である保持器と、ペーパー切断後、掴み代であるペーパー端が露出する切断装置と、上記ペーパー端を前方へガイドするする案内手段を備え、ペーパー端を掴み易く、引き出し及び切断が容易な小型のロールペーパー保持切断装置を提供する。
【選択図】    図４【図１】
0005463523.tif 000002
【図２】
0005463523.tif 000003
【図３】
0005463523.tif 000004
【図４】
0005463523.tif 000005
【図５】
0005463523.tif 000006
【図６】
0005463523.tif 000007
【図７】
0005463523.tif 000008
【図８】
0005463523.tif 000009
【図９】
0005463523.tif 000010
【図１０】
0005463523.tif 000011
【図１１】
0005463523.tif 000012
【図１２】
0005463523.tif 000013
【図１３】
0005463523.tif 000014
【図１４】
0005463523.tif 000015
【図１５】
0005463523.tif 000016
【図１６】
0005463523.tif 000017
【図１７】
0005463523.tif 000018
【図１８】
0005463523.tif 000019
【図１９】
0005463523.tif 000020